(57)【要約】【課題】抽選による当たりの発生する確率を不正に変更して設定する不正行為の防止化を図る。【解決手段】設定錠１の可動片１０がオフ操作位置１１に存在するとスイッチ釦１５を押してスイッチボディ１８に接触するかまたは接触する程度に近づき、不正操作部材２８が可動片１０とスイッチ釦１５との間に進入することができないので、遊技者が不正操作部材２８で設定操作部３を押し、設定スイッチ４が設定信号を制御装置５に出力しても、制御装置５は錠スイッチ２からのオン信号が入力されておらず設定変更処理への許可を設定していないため設定変更処理を実行せず、抽選による当たりの発生する確率を不正に変更して設定する不正行為を防止することができ、また、設定錠１の可動片１０が鍵１４でオフ操作位置１１からオン操作位置１２に回転していなければ、上記抽選による当たりの発生する確率を不正に変更して設定する不正行為を防止することができる。【選択図】図１
2006087792.tif 000002
【特許請求の範囲】
【請求項１】
設定錠と錠スイッチと設定操作部と設定スイッチおよび制御装置が機構筐体の内部に設置され、設定錠が人による操作でオフ操作位置とオン操作位置とに回転する可動片を備え、錠スイッチがスイッチボディにスイッチ釦を備え、可動片がオン操作位置からオフ操作位置に回転すると、錠スイッチがオフ信号を制御装置に出力し、可動片がオフ操作位置からオン操作位置に回転すると、錠スイッチがオン信号を制御装置に出力し、設定操作部が人に操作されると、設定スイッチが設置信号を制御装置に出力し、制御装置が錠スイッチから入力されたオフ信号により設定変更処理を解除し、制御装置が錠スイッチから入力されたオン信号により設定変更処理を許可し、制御装置が設定変更処理を許可した状態において設定スイッチから設置信号が入力されると当たり外れの抽選処理における当たりの発生する確率を変更して設定するスロットマシンの設定変更装置において、可動片がオン操作位置からオフ操作位置に回転するのに伴い錠スイッチのスイッチ釦をスイッチボディの方向に押してスイッチボディに接触するかまたは接触する程度に近づき、可動片がオフ操作位置からオン操作位置に回転するのに伴い錠スイッチのスイッチ釦をスイッチボディの方向に押すことを解除してスイッチボディから離れるように、可動片と錠スイッチとが機構筐体の内部に設置されたことを特徴とするスロットマシンの設定変更装置。
【請求項２】
錠スイッチが制御装置の入力ポートにノーマルオープン形に接続されたことを特徴とする請求項１記載のスロットマシンの設定変更装置。
【発明の詳細な説明】
【技術分野】
【０００１】
本発明は、抽選による当たりの発生する確率を不正に変更して設定する不正行為が防止できるスロットマシンの設定変更装置に関する。
【背景技術】
【０００２】
図４は、前面枠１０３を閉じたスロットマシンの外観を示す。図４において、スロットマシンの機構筐体１０１は、前側にだけ開口した四角な箱形の形状である。機構筐体１０１の左右側壁には、機構筐体１０１を運搬する場合に手を掛けるための孔を形成する取手部１０２が設けられる。機構筐体１０１の前面には、前面枠１０３が設けられる。前面枠１０３には、状況表示部１０４、図柄表示部１０５、情報表示部１０６、操作台１０７、機種表示部１０８、受皿１０９が、上から下に順に設けられる。状況表示部１０４は、遊技の状況を遊技者に知らせる情報を表示するものである。図柄表示部１０５は、図柄表示装置１１５の図柄を遊技者に見せる光透過性合成樹脂により形成される。情報表示部１０６は、遊技者に知らせるために、遊技者により設定された情報を表示するものである。操作台１０７は、遊技者により操作される部品を集中的に設けるものである。機種表示部１０８は、遊技者に知らせるために、スロットマシンの種類や製造者名および販売の許可されたことを示す証紙を表示するものである。受皿１０９は、遊技媒体としてのメダルを受ける部分である。受皿１０９の左側には灰皿１１０が併設される。情報表示部１０６は、掛数、メダルの予納枚数、当たりの結果の賞として払い出されたメダル数などの情状を数値として電気的に表示する。操作台１０７の上面には、掛数操作部１１１、掛数解除操作部１１２、最大掛数操作部１１３、メダル投入部１１４が、左から右に順に設けられる。掛数解除操作部１１２は、メダル投入部１１４から予納として機構筐体１０１の内部に投入されたメダルを受皿１０９に電気的に返却させるものである。操作台１０７の前面には、遊技開始操作部１１６、３個の図柄停止操作部１１７、返却操作部１１８、開閉錠１１９が、左から右に順に設けられる。遊技開始操作部１１６は、図柄表示装置１１５の図柄の変動を開始させるものである。遊技開始操作部１１６から遊戯開始信号が機構筐体１０１の内部に設けられた制御装置５（図１；図６参照）に入力されると、制御装置５が当たり外れの抽選処理を電気的に実行する。この抽選処理での当たりの発生する確率は、遊技店の店員が設定変更装置を操作することによって変更できる。図柄停止操作部１１７は、図柄表示装置１１５の変動している図柄を個別に停止させるものである。返却操作部１１８は、メダル投入部１１４から投入されて機構筐体１０１の内部にひっかかったメダルを受皿１０９に機械的に返却させるものである。開閉錠１１９は、前面枠１０３を開閉するものである。図５は、前面枠１０３を開いたスロットマシンの外観を示す。図５において、前面枠１０３の左側部が機構筐体１０１の左側部にヒンジ１２０で連結され、前面枠１０３がヒンジ１２０を中心として前側横方向に片開きされる。前面枠１０３の右側部には、係合部１２１が設けられる。係合部１２１は、前面枠１０３を閉じた場合、機構筐体１０１の図外の掛止部に係合して前面枠１０３を開閉不能に支持し、その状態において、遊技店の店員が図４の開閉錠１１９に図外の鍵を挿入して開閉錠１１９を操作すると、係合部１２１が掛止部から解除される。そして、店員が前面枠１０３を前側に引くと、前面枠１０３が図５に示すように開放される。機構筐体１０１の前側に開口した内部空間の上部には、図柄表示装置１１５が設けられる。機構筐体１０１の内部空間の下部には、電源装置１２２、当たりの結果の賞として払い出すメダルを貯蔵するホッパー１２３、ホッパー１２３に補給するメダルを入れる予備箱が、左から右に順に設けられる。電源装置１２２は、店員の操作を行いやすいように、電源スイッチが配置された前面を前側に向けている。ホッパー１２３は、メダルを払い出すための図外の払出機を内蔵する。払出機により払い出されたメダルは、ホッパー１２３に形成された払出口１２４から前面枠１０３の裏面に設けられた受口１２５を経由して図４の受皿１０９に払い出される。図６は、従来のスロットマシンの設定変更装置を模式的に示す。図６のａ図において、設定変更装置は、設定錠１、錠スイッチ２５、設定操作部３、設定スイッチ４、制御装置５を備える。設定錠１および設定操作部３は、電源装置１２２における電源スイッチの設けられた前面に配置される。錠スイッチ２５および設定スイッチ４は、電源装置１２２の内部に設けられる。制御装置５は図２の機構筐体１０１の内部空間に設けられる。設定錠１は、外筒６の内部に内筒７を回転可能に備え、内筒７に鍵穴８を形成し、内筒７に設けられた内筒軸９に可動片２６を外筒６より後方に位置させて結合する。外筒６の前面には、オフ操作位置１１とオン操作位置１２とを備える。オフ操作位置１１は、設定錠１がオフ操作状態であることを表す印である。オン操作位置１２は、設定錠１がオン操作状態であることを表す印である。そして、店員が鍵１４を設定錠１のオフ操作位置１１に停止している鍵穴８に挿入してオフ操作位置１１からオン操作位置１２に回転操作して停止するに伴い、内筒７が鍵穴８と同じ方向に同じ回転運動範囲で回転する。この内筒７の回転によって、可動片２６が内筒７と一緒に回転して錠スイッチ２５のスイッチ釦１５を押す。スイッチ釦１５が押されると、錠スイッチ２５がオン信号を制御装置５に出力する。錠スイッチ２５からのオン信号を入力した制御装置５は、制御装置５の内部に設けられた図外のＣＰＵがＲＯＭに書き込まれたプログラムにしたがってＲＡＭを記憶装置として使用しながら設定変更処理への許可を設定する。その状態において、店員が設定操作部３を押すと、設定操作部３が実線で示す位置から仮想線で示す位置に移動して設定スイッチ４をオン動作させ、設定スイッチ４が設定信号を制御装置５に出力する。設定スイッチ４からの設定信号を入力した制御装置５のＣＰＵが、抽選における当たりの発生する確率を変更するための設定変更処理を実行してＲＡＭに記憶し設定する。設定変更処理は、設定スイッチ４から設定信号が入力されるごとに、当たりの発生する確率を低い方から高い方に順に設定し、最高の当たりの発生する確率に到達した後に、設定スイッチ４から設定信号が入力されると、最低の当たりの発生する確率に戻る巡回設定方式である。しかしながら、図６のｂ図およびｃ図に示すように、従来の設定錠１および錠スイッチ２５は、次のような構造である。図６のｂ図において、錠スイッチ２５は、合成樹脂からなるスイッチボディ１７の内部に、スイッチ釦１５、コモン接点１８、ノーマルクローズ接点１９、ノーマルオープン接点２０、可動接点２１を備え、スイッチ釦１５におけるスイッチボディ１７から突出した先端が押されていない場合、コモン接点１８に接続された可動接点２１が図外のばねまたは可動接点２１自身のばね力でノーマルクローズ接点１９に接続されており、スイッチ釦１５の先端がスイッチボディ１７の方向に押されると、スイッチ釦１５がコモン接点１８に接続された可動接点２１を押し、可動接点２１がノーマルクローズ接点１９から離れてノーマルオープン接点２０に接続されるマイクロスイッチである。錠スイッチ２５は、コモン接点１８およびノーマルクローズ接点１９が制御装置５における図外のＣＰＵに対する入力インターフェースの入力ポート２２；２３に個別に接続された、ノーマルクローズ形として使用される。設定錠１は、内筒７の鍵穴８がオフ操作位置１１に存在すると、可動片２６がスイッチ釦１５から離れており、錠スイッチ２５の可動接点２１がノーマルクローズ接点１９に接続している。そして、図６のｃ図に示すように、内筒７の鍵穴８が図６のａ図の鍵１４でオフ操作位置１１に操作されるのに伴い、可動片２６がスイッチ釦１５を押し、可動接点２１がノーマルクローズ接点１９から離れてノーマルオープン接点２０に接続する。このような構造であるため、心無い少数の遊技者が、図４に示すように前面枠１０３が閉じられているにもかかわらず、前面枠１０３と機構筐体１０１との隙間からワイヤ線のような不正操作部材２８を挿入して設定変更を行う不正行為を行う。具体的には、図６のｄ図に示すように、設定錠１の鍵穴８がオフ操作位置１１に存在し、可動片２６がスイッチ釦１５から離れているので、不正操作部材２８を可動片２６とスイッチ釦１５との間の隙間に挿入し、不正操作部材２８でスイッチ釦１５を押した後、別の図外の不正操作部材で設定操作部３を押すのである。
【特許文献１】特開２００３−２７５３２号公報
【発明の開示】
【発明が解決しようとする課題】
【０００３】
発明が解決しようとする問題点は、設定錠の鍵穴がオフ操作位置に存在し、可動片がスイッチ釦から離れているので、不正に設定変更が行われるという点である。
【課題を解決するための手段】
【０００４】
本発明に係るスロットマシンの設定変更装置は、設定錠と錠スイッチと設定操作部と設定スイッチおよび制御装置が機構筐体の内部に設置され、設定錠が人による操作でオフ操作位置とオン操作位置とに回転する可動片を備え、錠スイッチがスイッチボディにスイッチ釦を備え、可動片がオン操作位置からオフ操作位置に回転すると、錠スイッチがオフ信号を制御装置に出力し、可動片がオフ操作位置からオン操作位置に回転すると、錠スイッチがオン信号を制御装置に出力し、設定操作部が人に操作されると、設定スイッチが設置信号を制御装置に出力し、制御装置が錠スイッチから入力されたオフ信号により設定変更処理を解除し、制御装置が錠スイッチから入力されたオン信号により設定変更処理を許可し、制御装置が設定変更処理を許可した状態において設定スイッチから設置信号が入力されると当たり外れの抽選処理における当たりの発生する確率を変更して設定するスロットマシンの設定変更装置において、可動片がオン操作位置からオフ操作位置に回転するのに伴い錠スイッチのスイッチ釦をスイッチボディの方向に押してスイッチボディに接触するかまたは接触する程度に近づき、可動片がオフ操作位置からオン操作位置に回転するのに伴い錠スイッチのスイッチ釦をスイッチボディの方向に押すことを解除してスイッチボディから離れるように、可動片と錠スイッチとが機構筐体の内部に設置されたことを最も主要な特徴とする。本発明に係るスロットマシンの設定変更装置では、錠スイッチが制御装置の入力ポートにノーマルオープン形に接続されてもよい。
【発明の効果】
【０００５】
本発明に係るスロットマシンの設定変更装置は、設定錠の可動片がオフ操作位置に存在すると、可動片が錠スイッチのスイッチ釦をスイッチボディの方向に押してスイッチボディに接触するかまたは接触する程度に近づき、不正操作部材が可動片とスイッチ釦との間に進入することができないので、不正操作部材で設定操作部を押し、設定スイッチが設定信号を制御装置に出力しても、制御装置には錠スイッチからのオン信号が入力されておらず、制御装置は設定変更処理への許可を設定していないため、設定操作部が不正操作部材で押されても、制御装置が設定変更処理を実行しないので、抽選による当たりの発生する確率を不正に変更して設定する遊技者の不正行為を防止することができ、また、設定錠の可動片がオフ操作位置からオン操作位置に存在させるには、設定錠が鍵で操作されなければならいので、可動片がスイッチ釦から離れても、上記抽選による当たりの発生する確率を不正に変更して設定する遊技者の不正行為を防止することができるという利点がある。本発明に係るスロットマシンの設定変更装置において、錠スイッチが制御装置の入力ポートにノーマルオープン形に接続されていれば、制御装置の入力ポートに対する論理回路を従来のまま使用することができるうえ、設定錠の可動片がオフ操作位置に存在している状態において、錠スイッチのノーマルオープン接点とノーマルクローズ接点とが不正にショートされても、制御装置が設定変更処理への許可を設定していないので、抽選による当たりの発生する確率を不正に変更して設定する遊技者の不正行為を防止することができる。
【発明を実施するための最良の形態】
【０００６】
図１乃至図３は、発明を実施するための最良の形態である。図１は、スロットマシンの設定変更装置を模式的に示す。図２は、設定変更装置の設定錠１、錠スイッチ２、設定操作部３、設定スイッチ４を設けた電源装置１２２を分解して示す。図３は組み立てられた電源装置１２２の外観を示す。
【０００７】
図１のａ図において、設定錠１における内筒７の鍵穴８が外筒６の前面に表示されたオフ操作位置１１に存在する場合、内筒軸９に設けられた可動片１０が錠スイッチ２のスイッチ釦１５を押し、鍵穴８が外筒６の前面に表示されたオン操作位置１２に存在する場合、可動片１０が錠スイッチ２のスイッチ釦１５から離れるように、内筒７の内筒軸９と可動片１０とが一緒に回転するように連結される。
【０００８】
図１のｂ図において、内筒７の鍵穴８が外筒６のオフ操作位置１１に存在する場合、可動片１０が錠スイッチ２におけるスイッチ釦１５のスイッチボディ１７から突出した先端をスイッチボディ１７の方向に押してスイッチボディ１７に接触するかまたは接触する程度になっている。スイッチ釦１５の先端がスイッチボディ１７の方向に押されると、スイッチ釦１５がコモン接点１８に接続された可動接点２１を押し、可動接点２１がノーマルクローズ接点１９から離れてノーマルオープン接点２０に接続される。
【０００９】
図１のｃ図において、内筒７の鍵穴８が外筒６のオン操作位置１２に存在する場合、可動片１０がスイッチ釦１５から離れ、スイッチ釦１５の先端が図外のばねまたは可動接点２１自身のばね力でスイッチボディ１７から突出し、可動接点２１が図外のばねまたは可動接点２１自身のばね力でノーマルクローズ接点１９から離れてノーマルクローズ接点１９に接続される。錠スイッチ２は、コモン接点１８およびノーマルオープン接点２０が制御装置５における図外のＣＰＵに対する入力インターフェースの入力ポート２２；２３に個別に接続された、ノーマルオープン形として使用される。
【００１０】
要するに、最良の形態は、可動片１０がオン操作位置１２からオフ操作位置１１に回転するのに伴い錠スイッチ２のスイッチ釦１５をスイッチボディ１７の方向に押してスイッチボディ１７に接触するかまたは接触する程度に近づき、可動片１０がオフ操作位置１１からオン操作位置１２に回転するのに伴い錠スイッチ２のスイッチ釦１５をスイッチボディ１７の方向に押すことを解除してスイッチボディ１７から離れるように、可動片１０と錠スイッチ２とが図５に示す機構筐体１０１の内部に設置された特徴を有する。
【００１１】
したがって、図１のａ図に示すように、設定錠１の鍵穴８がオフ操作位置１１に存在すると、可動片１０がスイッチ釦１５を押してスイッチボディ１７に接触するかまたは接触する程度になっているので、不正操作部材２８が閉じられた前面枠１０３（図４参照）と機構筐体１０１（図４参照）との隙間から挿入されても、不正操作部材２８は可動片１０とスイッチ釦１５との間に進入することができない。よって、遊技者が手１６で不正操作部材２８を操作し、不正操作部材２８で設定操作部３を押し、設定スイッチ４が設定信号を制御装置５に出力しても、制御装置５には錠スイッチ２からのオン信号が入力されておらず、制御装置５は設定変更処理への許可を設定していない。このため、設定操作部３が不正操作部材２８で押されても、制御装置５が設定変更処理を実行しないので、従来のような遊技者による不正な設定変更は、防止することができる。また、図１のｂ図に示すように、設定錠１の鍵穴８がオフ操作位置１１からオン操作位置１２に存在させられるには、図１の鍵が鍵穴８に挿入されて内筒７を回転操作しなければならないので、可動片１０がスイッチ釦１５から離れても、従来のような遊技者による不正な設定変更は、防止することができる。図１のｂ図に示すように、設定錠１の可動片１０がオフ操作位置１１に存在している状態において、錠スイッチ２のノーマルクローズ接点１９とノーマルオープン接点２０とが不正にショートされても、制御装置５が設定変更処理への許可を設定していないので、抽選による当たりの発生する確率を不正に変更して設定する遊技者による不正行為を防止することができる。
【００１２】
図２を参照し、電源装置１２２の構成部品ついて説明する。電源装置１２２は電源筐体３１および電源基板３２を備える。電源筐体３１は、別々の２つの容器３３；３４を組み合わせることによって、構成される。１つの容器３３は、鉄系のような金属板により、方形板状の容器基板３５の周縁から前壁３６と後壁３７と上壁３８と下壁３９とを同じ方向に直角に折り曲げた、一体の形状に形成される。容器基板３５の四隅には、電源基板３２を取り付けるための取付足４０が固定される。前壁３６と後壁３７とが互いに前後方向で相対峙し、前壁３６における容器基板３５からの折り曲げ方向の寸法と後壁３７における容器基板３５からの折り曲げ方向の寸法とは同じである。上壁３８と下壁３９とが互いに上下方向で相対峙し、上壁３８における容器基板３５からの折り曲げ方向の寸法と下壁３９における容器基板３５からの折り曲げ方向の寸法とは同じであるが、前壁３６および後壁３７における折り曲げ方向の寸法よりも小さい。前壁３６には、電源スイッチ孔４１、打止スイッチ孔４２、錠スイッチ孔４３、設定スイッチ孔４４、表示孔４５、ねじ挿入孔４７が、前後方向に貫通して設けられる。後壁３７には、放熱孔４９、ねじ挿入孔５０が、前後方向に貫通して設けられる。
【００１３】
もう１つの容器３４は、鉄系のような金属板により、方形板状の容器基板５１の上縁から上壁５２を直角に折り曲げ、容器基板５１の下前縁と上壁５２の前縁から２つの容器３３；３４を結合するための取付足５３を直角に折り曲げた、一体の形状に形成される。上壁３８には、放熱孔５４とコネクタ孔５５が上下方向に貫通して設けられる。取付足５３には、取付孔５６が前後方向に貫通して設けられる。容器基板５１の上縁には鉄系のような金属板からなるブラケット５７が上方に直線的に延設される。
【００１４】
ブラケット５７は、容器基板５１から切り起こされ、容器基板５１と上壁５２との連接部分を中心として容器基板５１から上方に直線的に延設されるように折り曲げられた形態である。よって、容器基板５１にはブラケット５７を切り起こした場合の残渣孔５９が存在する。ブラケット５７は、図３の機構筐体１０１に電源装置１２２を倒れないように取り付ける部材である。ブラケット５７には、貫通孔６０が設けられる。貫通孔６０の孔径は、電源装置１２２を機構筐体１０１に取り付けるための図外の止ねじのねじ部が通過するが、当該止ねじの頭部は通過しない大きさである。
【００１５】
電源基板３２は、プリント配線板のような回路基板６２の表面に、電源スイッチ６３、打止スイッチ６４、設定錠１、錠スイッチ２、設定操作部３、設定スイッチ４、電源表示灯６５、交流電源を直流に変換するための電気部品６６、放熱板６７、コネクタ６８が実装され、回路基板６２の四隅にねじ挿入孔６９が設けられた、構造である。
【００１６】
電源装置１２２の組立方について説明する。電源基板３２の裏面が容器３３における容器基板３５の方向に向けられ、電源スイッチ６３と打止スイッチ６４と設定錠１と錠スイッチ２と設定操作部３と設定スイッチ４および電源表示灯６５が電源スイッチ孔４１と打止スイッチ孔４２と錠スイッチ孔４３と設定スイッチ孔４４および表示孔４５のそれぞれに前壁３６における容器基板３５の方向に位置する内面から前面の方向に個別に挿入され、止ねじ７１が電源基板３２のねじ挿入孔４７から容器３３の取付足４０の内部孔に形成された雌ねじに締結されることによって、電源基板３２が容器３３に取り付けられる。
【００１７】
次に、容器３４が電源基板３２における電源スイッチ６３と打止スイッチ６４と設定錠１と錠スイッチ２と設定操作部３と設定スイッチ４と電源表示灯６５と電気部品６６とを覆う格好で容器３３に被せられる。この場合、コネクタ６８がコネクタ孔５５に上壁３８における容器基板３５の方向に位置する内面から上方に挿入され、容器３４の上壁３８が容器３３の上壁３８の上に接触して重ね合わされる。そして、止ねじ７２が容器３３のねじ挿入孔４７から容器３４の取付孔５６に締結されることによって、図３に示す形状の電源装置１２２となる。
【産業上の利用可能性】
【００１８】
制御装置の入力ポートに対する論理回路を従来と逆の論理で動作する論理回路に変更すれば、設定錠の可動片がオフ操作位置に存在している状態において、錠スイッチのノーマルオープン接点とノーマルクローズ接点とが不正にショートされた場合、制御装置が設定変更処理への許可を設定し、抽選による当たりの発生する確率を不正に変更して設定する遊技者の不正行為を防止することはできないが、錠スイッチ２を制御装置５の入力ポート２２；２３にノーマルクローズ形に接続することも可能である。制御装置５と電源装置１２２とが別々に形態としてが、制御装置５を電源装置１２２に組み込んでも、電源装置１２２を制御装置５に組み込んだ形態でもよい。
【図面の簡単な説明】
【００１９】
【図１】ａ図は設定変更装置を示す模式図、ｂ図は設定錠のオフ操作位置における可動片と錠スイッチとの動作関係を示す模式図、ｃ図は設定錠のオン操作位置における可動片と錠スイッチとの動作関係を示す模式図（最良の形態）。
【図２】設定変更装置を備えた電源装置を示す分解斜視図（最良の形態）。
【図３】組み立てられた電源装置を示す外観斜視図（最良の形態）。
【図４】前面枠の閉じられたスロットマシンを示す斜視図（従来）。
【図５】前面枠の開けられたスロットマシンを示す斜視図（従来）。
【図６】ａ図は設定変更装置を示す模式図、ｂ図は設定錠のオフ操作位置における可動片と錠スイッチとの動作関係を示す模式図、ｃ図は設定錠のオン操作位置における可動片と錠スイッチとの動作関係を示す模式図、ｄ図は不正行為を説明する模式図（最良の形態）。
【符号の説明】
【００２０】
１    設定錠
２    錠スイッチ
３    設定操作部
４    設定スイッチ
５    制御装置
１０  可動片
１１  オフ操作位置
１２  オン操作位置
１５  スイッチ釦
１７  スイッチボディ
【図１】
2006087792.tif 000003
【図２】
2006087792.tif 000004
【図３】
2006087792.tif 000005
【図４】
2006087792.tif 000006
【図５】
2006087792.tif 000007
【図６】
2006087792.tif 000008